(57)【要約】【課題】ハゼ締め部に対する固定が上部からの作業だけで手間がかからないと共に、構成部品数の削減が図れる屋根上搭載機器の取付け金具を提供する。【解決手段】天板６の両側から一面側に折り曲げられて対向する一対の挟持板７、７と、この挟持板７、７の端部から互いに相手挟持板７側に屈曲し、金属屋根ａにおけるハゼ締め部ｂの首部を両側から挟むように設けた挟持片８、８と、前記両挟持板７、７の相対向する面に設けた引寄せ板９、９を備えた金具本体２と、前記天板６を上下に貫通するボルト３からなり、前記金具本体２の両挟持板７、７に設けた引寄せ板９、９と前記ボルト３を連結し、このボルト３の上昇動による引寄せ板９、９の引上げにより、前記金具本体２の両挟持片８、８を接近させるようにした。【選択図】図１
2013227781.tif 000002
【特許請求の範囲】
【請求項１】
天板の両側下部に互いに向き合う一対の挟持板を設け、前記両挟持板の下端部に、互いに相手挟持板側に向けて屈曲し、屋根上に固定した有頭状部材や金属屋根におけるハゼ締め部の首部を両側から挟むための挟持片を設け、前記両挟持板の相対向する面に引寄せ板を設けた金具本体と、前記天板を上下に貫通するボルトからなり、前記挟持金具の両挟持板に設けた引寄せ板と前記ボルトを連結し、このボルトの上昇動による引寄せ板の引上げにより、前記挟持金具の両挟持片を接近させるようにした屋根上搭載機器の取付け金具。
【請求項２】
上記挟持板に設けた引寄せ板は、挟持板の一部を相手挟持板側に切り起こすことによって形成され、両側の引寄せ板は、先端側が互いに重なり合う長さを有し、この重なり部分にボルトの挿通孔が設けられている請求項１に記載の屋根上搭載機器の取付け金具。
【請求項３】
上記天板の下部四隅の位置に設置用の支持脚を設け、この支持脚の上下長さを、その下端が上記両挟持板の下端よりも下方に位置するように設定した請求項１又は２に記載の屋根上搭載機器の取付け金具。
【請求項４】
上記挟持金具の天板と両挟持板、挟持片、引寄せ板及び支持脚が、一枚の金属板から折り曲げ加工することによって形成されている請求項１乃至３の何れかに記載の屋根上搭載機器の取付け金具。
【発明の詳細な説明】
【技術分野】
【０００１】
この発明は、建物の屋根上に固定した有頭状部材や、金属屋根におけるハゼ締め部を利用して固定し、前記屋根上に各種屋根上搭載機器を取付けるために使用する取付け金具に関する。
【背景技術】
【０００２】
例えば、金属屋根の屋根上に、太陽電池モジュールのような屋根上搭載機器を搭載する場合、金属屋根のハゼ締め部に対して複数の取付け金具を固定し、この取付け金具の上面に機器の架台を載置し、取付け金具の上面に突設させたボルトにナットを螺締めすることで、取付け金具と機器の架台を締結する方法が採用されている。
【０００３】
ところで、折板屋根のハゼ締め部に取付け金具を固定する場合、取付け金具の構造には、大きく分けて、横方向からの締付け作業によって固定が行える横締め方式と、上部からの締付け作業だけで固定が行える上部締め付け方式がある。
【０００４】
前者の横締め方式に用いる取付け金具は、天板の両側下部に一対となる挟持板を設け、両挟持板の下端にハゼ締め部を挟持するための挟持片を、互いに相手側に向けて屈曲するよう設けて形成された金具本体と、前記挟持板を横方向に貫通するボルトとこれに螺合したナットの組み合わせで形成され、ボルトとナットで両挟持板を締付けることにより、両挟持片でハゼ締め部の根本部分を両側から挟んで固定するようになっている（例えば特許文献１及び２参照）。
【０００５】
このような横締め方式の取付け金具は、金具本体に対して横方向から挿通したボルトの締付け作業によって固定するため、窮屈な作業体勢で横方向からの締め付けを行う必要があり、作業時の体勢が不安定となり危険を伴い、また、金具本体をハゼ締め部に固定した後、本来取り付けたい物品を金具本体の天板に設けたボルトに締結するという２つの作業工程が必要になり、締結に用いる電動工具の取り回しが煩雑になり、工期が長くかかるという問題がある。
【０００６】
更に、上記横締め用のボルトとは別に、金具本体の上部に機器の架台を固定するためのボルトが別途必要になり、その分製品のコストが高くなるという問題がある。
【０００７】
次に、後者の上部締め付け方式に用いる取付け金具は、ハゼ締め部に上から被せる金具本体の天板にボルトを設け、このボルトを上部から締付けることで金具本体に機械的な形状変形を生じさせ、金具本体の下部両側に設けた両挟持片でハゼ締め部の根本部分を両側から挟んで固定するようになっている（例えば特許文献３及び４参照）。
【０００８】
このような上部締め付け方式の取付け金具は、上部からの作業だけで固定が行えるので、作業の安全性と能率を向上させることができると共に、一本のボルトを取付けのための締付けと機器の架台固定に共用できるので、電動工具の取り回しが容易で作業をスムーズに進めることができ，架台締結作業とはぜ締め部への固定作業を同時に行うことが可能となり、工期短縮につながるだけでなく、部品点数の削減で製品のコスト低減を図ることができるという利点がある。
【０００９】
ところで、上記特許文献３に示した上部締め付け方式の取付け金具は、上辺板部の左右両端部から側辺板部を下方に向けて設けると共に、これら左右一対の側辺板部の下部にそれぞれ下辺板部を内側に向けて横向きに設け、これら下辺板部の先端によりハゼ締め部を挟み、前記上辺板部に螺子棒を上向きに設けると共に、この螺子棒に雌螺子部材を螺着して装備品を装着するハゼ用屋根上取付け金具であって、前記上辺板部の前記左右両側部より左右方向の中央部を次第に低く形成し、前記上辺板部の下面に下部当て板を当接すると共に、前記上辺板部の上面に上部当て板を当接し、前記螺子棒の下部を前記下部当て板に接続すると共に、この螺子棒を前記中央部に形成した上下方向の第１の貫通孔及び前記上部当て板に形成した上下方向の第２の貫通孔を貫挿させて、この螺子棒の第２の先端側に前記雌螺子部材を締め付けるようにした構造になっている。
【００１０】
また、上記特許文献４で示した上部締め付け方式の取付け金具は、基端板部と段差部と先端板部とで構成され、前記段差部の中央部に先端板部と基端板部とにそれぞれ延びる長孔と、この長孔から段差部に沿って一方の側面縁に至る切り溝が形成された緩い前方傾斜状の上板部と、上下方向に延びる補助用のリブが形成された急傾斜状の背板部と、先端両側に起立状の押さえ片が形成された幅狭な底板部とが一体構成されている金属製の挟持金具を２つ用いて、前記上板部を交差状に相対向させて、相手の切り溝内に一方の切り溝を差し込み、互いの先端板部が相手の基端板部の下側に配して長孔をそれぞれ一致させ、この一致させた長孔に下方からボルトを通し、これにボルト止めを介装させて座金付きナットを螺合して２つの挟持金具を一体構成した構造になっている。
【先行技術文献】
【特許文献】
【００１１】
【特許文献１】特開２００３−９６９８６号公報
【特許文献２】特開２００９−２８７３３４号公報
【特許文献３】実用新案登録第３１４９７２６号公報
【特許文献４】特開２０００−１２０２３５号公報
【発明の概要】
【発明が解決しようとする課題】
【００１２】
しかしながら、上記特許文献３で示した取付け金具は、少なくとも、上部が湾曲した挟持板、上部当て板、下部当て板、ボルト・ナットで構成されており、予め湾曲させた挟持板を、上部当て板と下部当て板で挟み込むことで湾曲を平板化させるというメカニズムで成り立っており、上部当て板と下部当て板を１セットで用いる構造では、その分部品点数が増え、製品コストが高くつくという問題がある。
【００１３】
また、上記特許文献４で示した取付け金具は、２つの部品からなる挟持板に段差を設け、ボルト・ナットを用いて締め付けることで段差の隙間を無くすというメカニズムからなり立っており、２つの部品からなる挟持板の採用により、その分部品点数が増えるだけでなく構造が複雑化し、作業性が悪いと共に製品コストが高くつくという問題がある。
【００１４】
更に、何れの取付け金具も、金属屋根のハゼ締め部を両側から締め付けて固定する構造であるので、取付け金具の架台支持面である上面の平面的な面積を大きく確保するのが困難な構造になっており、このため、架台支持の安定性に欠けるという欠点がある。
【００１５】
そこで、この発明の課題は、屋根材、屋根下地材に直接固定することなく、上部からの作業だけで、屋根上の有頭状部材や金属屋根のハゼ締め部に対して固定することができるようにした上部締め付け方式の取付け金具であって、有頭状部材やハゼ締め部に対する固定に手間がかからないと共に、部品点数を極力少なくすることで製造コストの低減が図れ、作業性の向上に寄与することができ、架台支持面積を大きく確保することで架台支持の安定性が優れ、更に、ハゼ締め部に対して固定する力のバラツキを無くし、高い信頼性を確保した屋根上搭載機器の取付け金具を提供することにある。
【課題を解決するための手段】
【００１６】
上記のような課題を解決するため、この発明は、天板の両側下部に互いに向き合う一対の挟持板を設け、前記両挟持板の下端部に、互いに相手挟持板側に向けて屈曲し、屋根上に固定した有頭状部材や金属屋根におけるハゼ締め部の首部を両側から挟むための挟持片を設け、前記両挟持板の相対向する面に引寄せ板を設けた挟持金具と、前記天板を上下に貫通するボルトからなり、前記挟持金具の両挟持板に設けた引寄せ板と前記ボルトを連結し、このボルトの上昇動による引寄せ板の引上げにより、前記挟持金具の両挟持片を接近させるようにしたものである。
【００１７】
上記挟持板に設けた引寄せ板は、挟持板の一部を相手挟持板側に切り起こすことによって形成され、両側の引寄せ板は、先端側が互いに重なり合う長さを有し、この重なり部分にボルトの挿通孔が設けられている構造とすることができる。
【００１８】
上記天板の下部四隅の位置に設置用の支持脚を設け、この支持脚の上下長さを、その下端が上記両挟持板の下端よりも下方に位置するように設定した構造とすることができる。
【００１９】
上記挟持金具の天板と両挟持板、挟持片、引寄せ板及び支持脚が、一枚の金属板から折り曲げ加工することによって形成されているようにすることができる。
【００２０】
ここで、上記した天板は、中央部にボルト貫通孔が設けられ、フラットな矩形状に形成することで、機器の架台支持面積を広く確保している。
【００２１】
上記一対の挟持板は、天板の両側から下向きに折れ曲がり、下端が互いに接近する傾斜角度を有し、その下端に設けた挟持片は、相手側に向けて折れ曲がっている。
【００２２】
上記引寄せ板は、挟持板の途中に施した下向きコ字状の切れ目で囲まれた部分を、相手挟持板側に向けて斜め上向きに折り曲げることにより形成され、この引寄せ板の先端側は、水平になるよう折り曲げられた部分が上下に重なり合っている。
【００２３】
前記ボルトは、引寄せ板の重なり部分に設けたボルト挿通孔から天板の貫通孔に下から挿通し、ボルトの頭部で引寄せ板の重なり部分の下側を受け、天板の上面に突出するボルトの軸部にナットを螺合し、このナットをねじ込み方向に回動させることによりボルトを上昇動させれば、引寄せ板の重なり部分が引き上げられ、これにより両挟持板が互いに引寄せられ、両挟持片が接近することでハゼ締め部の根元部分を両側から挟み込んで固定化することになる。
【００２４】
また、上記支持脚は、横断面形状をＬ形とすることにより、耐折れ曲がり強度を向上させ、架台支持の安定性と荷重支持力を増大させ、高い信頼性を確保している。
【発明の効果】
【００２５】
この発明によると、ボルトの上昇動による引寄せ板の引上げにより、挟持金具の両挟持片を接近させるようにしたので、上部からナットを締め付ける作業だけで有頭状部材や金属屋根のハゼ締め部に対して固定することができ、有頭状部材やハゼ締め部に対する固定に手間がかからないと共に、一体構造の挟持金具とボルト、ナットの組み合わせによって構成部品数を極力少なくし、製品コストの低減を図ることができる。
【００２６】
また、挟持金具とこれに取付けたボルトの組み合わせにより、取付け金具の組立て状態で分離発生はなく、屋根上への持ち運びに便利であると同時に、そのままの状態で直ぐに固定できるので作業の手間を省ける。
【００２７】
更に、天板をフラットな矩形状とすることで、天板の平面形状を大きく設定でき、これにより、架台の支持面積を広く確保することが可能となり、架台支持の安定性を向上させることができると共に、両挟持金具の挟持片が当接するまで接近させることができるので、有頭状部材やハゼ締め部に厚みの変化があっても、両側から確実に挟み込んで固定化することができる。
【００２８】
また、天板の下部四隅に設置用の支持脚を設けると、架台及び屋根上搭載機器の重量を支持脚で分散支持することができ、重量のある屋根上搭載機器の取付けも可能になる。
【図面の簡単な説明】
【００２９】
【図１】この発明に係る第１の実施の形態の取付け金具を示す斜視図
【図２】この発明に係る第１の実施の形態の取付け金具を示す中央部分での縦断正面図
【図３】この発明に係る第１の実施の形態の取付け金具を示す取付け前の一部切り欠き正面図
【図４】この発明に係る第１の実施の形態の取付け金具を金属屋根のハゼ締め部に対して固定した使用状態の縦断正面図
【図５】この発明に係る第２の実施の形態の取付け金具を示す斜視図
【図６】この発明に係る第２の実施の形態の取付け金具を示す中央部分での縦断正面図
【図７】この発明に係る第２の実施の形態の取付け金具を示す仮取付け状態の正面図
【図８】この発明に係る第２の実施の形態の取付け金具を金属屋根のハゼ締め部に対して固定した使用状態の縦断正面図
【発明を実施するための形態】
【００３０】
以下、この発明の実施の形態を添付図面に基づいて説明する。
【００３１】
図１乃至図４は、第１の実施の形態の取付け金具１を示し、金属屋根ａのハゼ締め部ｂに対して上から被せるようにして取付ける金具本体２と、この金具本体２に取付けたボルト３及びナット４によって構成され、前記ボルト３にねじ込んだ別途締め付けナット５によってボルト３を引上げ、この引上げにより金具本体２の一部を内側に向けて撓ませることで、この金具本体２が金属屋根ａにおけるハゼ締め部ｂの首部を両側から挟むようになっている。
【００３２】
上記金具本体２は、上面がフラットな矩形状の天板６と、この天板６の幅方向の両側部から下面側に折り曲げられて互いに向き合う一対の挟持板７、７と、前記挟持板７、７の下端部から互いに相手挟持板７に向けて屈曲し、金属屋根ａにおけるハゼ締め部ｂの首部を両側から挟むための挟持片８、８と、前記両挟持板７、７の相対向する面に設けた引寄せ板９、９とからなり、これらを、必要な強度を備えた一枚の金属板から折り曲げることによって形成されている。
【００３３】
上記天板６は、中央の位置にボルト３の螺軸よりも少し大径の貫通孔１０が設けられ、長さ方向の両端に補強用の板リブ１１が下向きに折り曲げ形成され、フラットな矩形状に形成することで、機器の架台支持面積を広く確保しており、また、前記天板６の幅方向の両側部に設けた一対の挟持板７、７は、天板６の長さ寸法に対して、略等しい幅、短い幅、長い幅の何れかの幅に設定され、天板６の両側部から下向きに折れ曲がり、下端が互いに接近する傾斜角度を有し、その下端に設けた挟持片８、８は、相手側に向けて水平又は少し上向きの角度で折れ曲がっている。
【００３４】
上記挟持板７、７に設けた引寄せ板９、９は、この挟持板７、７の途中に下向きコ字状となるよう施した切れ目１２で囲まれた部分を、相手挟持板７側に向けて斜め上向きに折り曲げることにより形成され、この引寄せ板９、９の先端側は、図２のように、水平になるよう折り曲げられた部分が、天板６の中央部分の直下位置において上下に重なり合う長さを有し、この重なり部分にボルト３の挿通孔１３が上記貫通孔10と上下に同軸心の配置となるよう設けられている。
【００３５】
上記引寄せ板９、９において、傾斜部分９ａと先端の水平部９ｂの境界に生じる折り目線の位置を、挿通孔１３にボルト３を挿通したときその頭部３ａの周囲直線縁の一つが一致するように設定し、これにより、ボルト３の回転防止機能が得られるようにしている。
【００３６】
上記天板６には、図示省略したが、両側の位置に長さ方向に沿う補強リブを設け、耐撓み強度を向上させるようにすることができる。
【００３７】
上記ボルト３は、引寄せ板９、９の重なり部分に設けたボルト挿通孔１３から天板６の貫通孔１０に下から挿通し、ボルト３の頭部３ａ及び螺軸３ｂに螺合したナット４で引寄せ板９、９の重なり部分を挟み、前記貫通孔１０から天板６の上面にボルト３の螺軸３ｂが突出している。
【００３８】
なお、図示の場合、取付け金具１は、金属屋根ａにおけるハゼ締め部ｂに固定する例を示したが、例えば、起立する金属板の上端に板厚よりも広幅となる頭部を設けた断面形状のレール形有頭状部材を瓦屋根の上に固定し、取付け金具１をこのレール形有頭状部材に上記金属屋根ａのハゼ締め部ｂと同様に固定して使用することもできる。
【００３９】
また、金属屋根ａの場合において、ハゼ締め部ｂは立平ぶきの立てハゼだけでなく、蟻掛ぶきの蟻ハゼであってもよい。
【００４０】
第１の実施の形態の取付け金具１は、上記のような構成であり、図３は、金具本体２にボルト３をセットした取付け前の状態を示し、ボルト３は引寄せ板９、９の重なり部分に固定され、螺軸３ｂが天板６の上面に突出していると共に、両挟持板７、７の下端に設けた挟持片８、８間に隙間８ａが形成されている。
【００４１】
この取付け金具１の金属屋根ａにおけるハゼ締め部ｂへの取付け方法は、図３のように、金具本体２にボルト３を組み合わせた状態で、金属屋根ａにおけるハゼ締め部ｂの直上に金具本体２の挟持片８、８間に形成された隙間８ａを臨ませ、この隙間８ａをハゼ締め部ｂの上面に押付けるようにして取付け金具１全体を押下げると、金属板のもつ弾性により、金具本体２の挟持片８、８がハゼ締め部ｂの上部によって押し開かれることで通過し、金具本体２をハゼ締め部ｂに上から被せることにより、両挟持板７、７の下端が金属屋根ａの上面に当接し、両挟持片８、８がハゼ締め部ｂの狭くなった首部の両側面に臨む仮取付け状態となり、天板の上面にボルト３の螺軸３ｂが起立している。
【００４２】
このようにして、ハゼ締め部ｂの長さ方向の複数箇所に取付け金具１を仮取付け状態とし、図４のように、屋根上搭載機器の架台１４を取付け金具１上に臨ませ、この架台１４に設けてあるボルト孔を螺軸３ｂに挿入することで、取付け金具１の天板６の上に架台１４を載置し、複数の取付け金具１で架台１４を支持する。
【００４３】
次に、ボルト３の螺軸３ｂに上から締め付けナット５を螺合して締め付け、本固定工程を行う。前記のように締め付けナット５を締め付けていくと、架台１４に当接する締め付けナット５に対してボルト３が上昇動し、これにより、ボルト３で引寄せ板９、９の重なり部分が引上げられる。
【００４４】
上記のように、重なり部分が引上げられた両引寄せ板９、９は、傾斜部９ａと水平部９ｂの折れ曲がりにより、傾斜部９ａの傾斜角度がきつくなりながら両側挟持板７、７の上下途中の位置を引き上げることになり、両側挟持板７、７は下端側が互いに接近する傾斜状に対向しているので、対向面の上下途中の位置を引き上げられることで内側に向けて互いに引寄せられ、これにより、両側挟持板７、７の下端に設けた挟持片８、８が両側から接近してハゼ締め部ｂの首部を両側から挟み込む。
【００４５】
両挟持板７、７を形成する金属板は撓み性があるので、図４のように、両側挟持板７、７が内側に弧状となって撓むことで、ハゼ締め部ｂの首部に対する挟持片８、８の挟持力が増大し、ハゼ締め部ｂに対して取付け金具１が強固に固定化され、この取付け金具１と架台１４を介して金属屋根ａ上に、例えば、太陽電池モジュールのような屋根上搭載機器を取付けることができる。
【００４６】
上記した取付け金具１の固定作業において、金属屋根ａのハゼ締め部ｂに対して金具本体２を上から押し込むと共に、天板６の上面に起立する螺軸３ｂに上から締め付けナット５を螺合するようになっているので、取付け金具１及び架台１４の固定が上方からだけの作業で行えることになり、金属屋根ａ上での作業が行い易いという利点がある。
【００４７】
また、金具本体２とボルト３はセット化されているので、使用前はボルト３に対して締め付けナット５を別にしておけば、金属屋根ａ上での本固定作業時に、予め螺軸３ｂに螺合した締め付けナット５を取外すような作業が不用となり、作業能率の向上が図れることになる。
【００４８】
更に、上記のような金属屋根ａのハゼ締め部ｂに対する取付け金具１の固定状態において、屋根上搭載機器の重量による荷重は架台１４を介して金具本体２に上から作用することになるが、この金具本体２における両挟持板７、７は、下端が金属屋根ａの上面に当接した状態で下部窄まりの傾斜状になっているので、前記した荷重は両挟持板７、７の下端部を互いに接近させて挟持片８、８によるハゼ締め部ｂの挟持力を増強させるように作用し、従って、荷重が加わることによって金属屋根ａのハゼ締め部ｂに対する固定力が増大し、重量の大きな屋根上搭載機器の取付けが可能になる。
【００４９】
次に、図５乃至図８は、第２の実施の形態の取付け金具１を示している。なお、上述した  第１の実施の形態と同一部分には同一符号を付して説明に代える。
【００５０】
この第２の実施の形態の取付け金具１は、金具本体２における矩形状天板６下部四隅の位置に設置用の支持脚１５を設け、仮取付け状態時の姿勢の安定性と荷重支持力の増大を図るようにしたものであり、天板６の両側に設けた挟持板７、７は、両端に位置する支持脚１５間に位置することになる。
【００５１】
上記支持脚１５は、天板６の下部四隅から下向きに延び、この支持脚１５の上下長は、その下端が上記両挟持板７、７の下端と同一もしくはそれよりもよりも少し下方に位置するように設定されている。
【００５２】
図示の場合、上記支持脚１５は、横断面形状をＬ形とし、その下端に内向き又は外向きの水平な接地板１５ａを設けた構造とすることにより、耐折れ曲がり強度と設置時の安定性を向上させ、架台支持の安定性と荷重支持力を増大させた例を示している。
【００５３】
上記支持脚１５は、図示のように、金具本体２と同じ金属板から一体に連成し、単に折り曲げ加工だけで仕上げてもよいが、折り曲げ加工によって金具本体２との間に発生した突合せ縁を溶接するようにしてもよく、また、これとは別に、支持脚１５を金具本体２に対して別に加工し、これを金具本体２に対して溶接により固定した構造を採用することもできる。
【００５４】
第２の実施の形態の取付け金具１は、上記のような構成であり、金属屋根ａのハゼ締め部ｂに対する取付け方法は、上記した第１の実施の形態と同様にして行うことができ、両挟持片８、８をハゼ締め部ｂに上から押し込んで、両挟持片８、８がハゼ締め部ｂの狭くなった首部の両側面に臨む仮取付け状態時に、天板６の四隅に設けた支持脚１５の下端が金属屋根ａの上に当接し、四箇所が接地することで取付け金具１の安定的な配置となる。
【００５５】
次に、屋根上搭載機器の架台１４を取付け金具１の天板６の上に架台１４を載置し、複数の取付け金具１で架台１４を支持し、ボルト３の螺軸３ｂに上から締め付けナット５を螺合して締め付け、本固定工程を行うと、引寄せ板９、９により両側挟持板７、７の下端に設けた挟持片８、８が両側から接近してハゼ締め部ｂの首部を両側から挟み込み、挟持片８、８の挟持力によりハゼ締め部ｂに対して取付け金具１が強固に固定化され、この取付け金具１と架台１４を介して金属屋根ａ上に、例えば、太陽電池モジュールのような屋根上搭載機器を取付けることができる。
【００５６】
上記のような取付け状態において、取付け金具１は、四隅の支持脚１５が金属屋根ａの上に当接して荷重を支持することになり、仮取付け状態時の姿勢が安定して作業が行い易いだけでなく、荷重支持強度の向上により、重量の大きな屋根上搭載機器の取付けが可能になる。
【符号の説明】
【００５７】
１        取付け金具
２        金具本体
３        ボルト
４        ナット
５        締め付けナット
６        天板
７        挟持板
８        挟持片
９        引寄せ板
１０      貫通孔
１１      屈曲リブ
１２      切れ目
１３      挿通孔
１４      架台
１５      支持脚
１５ａ    接地板
ａ        金属屋根
ｂ        ハゼ締め部
【図１】
2013227781.tif 000003
【図２】
2013227781.tif 000004
【図３】
2013227781.tif 000005
【図４】
2013227781.tif 000006
【図５】
2013227781.tif 000007
【図６】
2013227781.tif 000008
【図７】
2013227781.tif 000009
【図８】
2013227781.tif 000010